(57)【要約】【課題】事業計画の推進とＥＭＳとＱＭＳとが統合的に管理可能なＥＱ事業計画推進のための支援システムを実現する。【解決手段】入力手段により入力された事業計画の複数の目標テーマを縦または横方向に列挙表示し、少なくとも単年度の施策毎に計画と実績とを工程線図とともに横または縦方向に入力させ、施策項目毎に列挙表示された目標テーマのいずれに関連するかを関係付ける関係付識別子を入力させるステップと、目標テーマ毎の実施計画・実績管理表の生成を指示するための指示入力手段を表示するステップと、指示入力手段から目標テーマ毎の実施計画・実績管理表の生成が指示入力されたときには、目標テーマに対応する当該年度の目標値と実績値の入力を受け付けるとともに、入力されたそのテーマに対応する施策毎の計画と実績と工程線図とを編集禁止の状態で目標値と実績値とに対応させて表示するステップとからなる事業計画策定支援方法とした。【選択図】図１
2007257442.tif 000002
【特許請求の範囲】
【請求項１】
情報処理システムを用いた事業計画策定支援方法であって、
入力手段により入力された事業計画の複数の目標テーマを縦または横方向に列挙表示し、
入力手段により、少なくとも単年度の施策毎に計画と実績とを工程線図とともに横または縦方向に入力させ、
前記施策項目毎に前記で列挙表示された目標テーマのいずれに関連するかを関係付ける関係付識別子を入力させるステップと、
前記目標テーマ毎の実施計画・実績管理表の生成を指示するための指示入力手段を表示するステップと、
前記指示入力手段から目標テーマ毎の実施計画・実績管理表の生成が指示入力されたときには、前記目標テーマに対応する当該年度の目標値と実績値の入力を受け付けるとともに、前記で入力されたそのテーマに対応する施策毎の計画と実績と工程線図とを編集禁止の状態で前記目標値と実績値とに対応させて表示するステップとからなる事業計画策定支援方法。
【請求項２】
情報処理システムを用いた事業計画策定支援方法であって、
前記情報処理システムの中央処理装置が、環境側面要素情報毎に評価点が設定されその評価点にしたがって順位付けられた環境順位テーブルを参照して、順位の高いものから順番に当該環境側面要素情報を読み込むステップと、
前記中央処理装置が、語句と目標テーマの適合度とが関連付けられた語句判定テーブルを参照して、前記で読み込んだ環境側面要素情報の目標テーマに対する適合度を判定するステップと、
前記中央処理装置が、業種と目標テーマの適合度とが関連付けられた業種別テーマテーブルを参照して、前記で読み込んだ環境側面要素情報の目標テーマに対する適合度を判定するステップと、
前記中央処理装置が、前記目標テーマを前記適合度とともに経営方針情報として出力するステップとからなる事業計画策定支援方法。
【請求項３】
情報処理システムを用いた事業計画策定支援方法であって、
前記情報処理システムの中央処理装置が、品質項目要素情報毎に評価点が設定されその評価点にしたがって順位付けられた品質順位テーブルを参照して、順位の高いものから順番に当該品質項目要素情報を読み込むステップと、
前記中央処理装置が、語句と目標テーマの適合度とが関連付けられた語句判定テーブルを参照して、前記で読み込んだ品質項目要素情報の目標テーマに対する適合度を判定するステップと、
前記中央処理装置が、業種と目標テーマの適合度とが関連付けられた業種別テーマテーブルを参照して、前記で読み込んだ品質項目要素情報の目標テーマに対する適合度を判定するステップと、
前記中央処理装置が、前記目標テーマを前記適合度とともに経営方針情報として出力するステップとからなる事業計画策定支援方法。
【請求項４】
情報処理システムを用いた事業計画策定支援プログラムであって、
入力手段により入力された事業計画の複数の目標テーマを縦または横方向に列挙表示し、
入力手段により、少なくとも単年度の施策毎に計画と実績とを工程線図とともに横または縦方向に入力させ、
前記施策項目毎に前記で列挙表示された目標テーマのいずれに関連するかを関係付ける関係付識別子を入力させるステップと、
前記目標テーマ毎の実施計画・実績管理表の生成を指示するための指示入力手段を表示するステップと、
前記指示入力手段から目標テーマ毎の実施計画・実績管理表の生成が指示入力されたときには、前記目標テーマに対応する当該年度の目標値と実績値の入力を受け付けるとともに、前記で入力されたそのテーマに対応する施策毎の計画と実績と工程線図とを編集禁止の状態で前記目標値と実績値とに対応させて表示するステップとからなる
コンピュータにより実行可能な事業計画策定支援プログラム。
【請求項５】
情報処理システムを用いた事業計画策定支援プログラムであって、
前記情報処理システムの中央処理装置が、環境側面要素情報毎に評価点が設定されその評価点にしたがって順位付けられた環境順位テーブルを参照して、順位の高いものから順番に当該環境側面要素情報を読み込むステップと、
前記中央処理装置が、語句と目標テーマの適合度とが関連付けられた語句判定テーブルを参照して、前記で読み込んだ環境側面要素情報の目標テーマに対する適合度を判定するステップと、
前記中央処理装置が、業種と目標テーマの適合度とが関連付けられた業種別テーマテーブルを参照して、前記で読み込んだ環境側面要素情報の目標テーマに対する適合度を判定するステップと、
前記中央処理装置が、前記目標テーマを前記適合度とともに経営方針情報として出力するステップとからなる、コンピュータにより実行可能な事業計画策定支援プログラム。
【請求項６】
情報処理システムを用いた事業計画策定支援プログラムであって、
前記情報処理システムの中央処理装置が、品質項目要素情報毎に評価点が設定されその評価点にしたがって順位付けられた品質順位テーブルを参照して、順位の高いものから順番に当該品質項目要素情報を読み込むステップと、
前記中央処理装置が、語句と目標テーマの適合度とが関連付けられた語句判定テーブルを参照して、前記で読み込んだ品質項目要素情報の目標テーマに対する適合度を判定するステップと、
前記中央処理装置が、業種と目標テーマの適合度とが関連付けられた業種別テーマテーブルを参照して、前記で読み込んだ品質項目要素情報の目標テーマに対する適合度を判定するステップと、
前記中央処理装置が、前記目標テーマを前記適合度とともに経営方針情報として出力するステップとからなる、コンピュータにより実行可能な事業計画策定支援プログラム。
【発明の詳細な説明】
【技術分野】
【０００１】
本発明は、組織における事業計画策定支援方法及びそのプログラムに関する。
【背景技術】
【０００２】
数十名乃至数百名程度の中小規模の企業においてＩＳＯの取得が重要になってきている。ＩＳＯについて、品質マネジメントシステム構築のためのＩＳＯ９００１の取得の必要性が知られているが、近年は企業の社会性が重要視されるようになり、環境配慮のためにＩＳＯ１４００１の取得が必要となってきている。
【０００３】
ＩＳＯ１４００１は、企業活動、製品およびサービスの環境負荷の低減といった環境パフォーマンスの改善を継続的に実施するシステム（環境マネジメントシステム(ＥＭＳ:Environmental Management System)）を構築するために要求される規格である。
【０００４】
具体的には、まず組織の最高経営層が環境方針を立て、その実現のために計画(Plan)し、それを実施および運用(Do)し、その結果を点検および是正(Check)し、もし不都合があ
ったならそれを見直し(Act)、再度計画を立てるというシステム（ＰＤＣＡサイクル）を
構築し、このシステムを継続的に実施することで、環境負荷の低減や事故の未然防止が行われる。
【０００５】
そしてこの規格は、組織が規格に適合した環境マネジメントシステムを構築していることを自己適合宣言するため、または第３者認証（審査登録）取得のために用いられる。
【０００６】
したがって、企業がこの規格に基づきシステムを構築し、認証を取得することは、企業自らが環境配慮へ自主的・積極的に取り組んでいることを示す有効な手段となる。
【０００７】
そのため、経営者が事業年度の初頭に作成する事業計画では、ＩＳＯ１４００１に向けた環境マネジメントシステム（ＥＭＳ）と、ＩＳＯ９００１に向けた品質マネジメント計画（ＱＭＳ）とを統合させた事業計画推進支援システムを実現する必要があった。
【０００８】
このような事業計画の作成をコンピュータによって支援するアプリケーションプログラムは従来から存在していた。
【０００９】
たとえば、ＩＳＯ取得のためのコンサルタント養成・活動支援プログラムとして特開２００２−９２１４７号公報、事業の遂行に必要な年間事業計画の作成および計画の実施に伴う具体的指示・報告・完了承認にかかるデータを一元管理するシステムとして特開２００２−２４４８９号公報が知られている。
【特許文献１】特開２００２−９２１４７号
【特許文献２】特開２００２−２４４８９号
【発明の開示】
【発明が解決しようとする課題】
【００１０】
しかし、特許文献１は、「ＩＳＯ認証取得のためのフランチャイズ・チェーン（以下ＦＣと略す）サポートセンターでコンサルタント養成教育と実習を受けたのち、ＦＣコンサルタントとして独立し、インターネットを介して顧客のＩＳＯ認証に必要な情報をＦＣサポートセンターより得る。顧客のＩＳＯ認証取得完了後、その経験から来る新たな情報をＦＣサポートセンターが得ることで、常に最新の最良の認証取得マニュアルがＦＣサポートセンターに集まりＦＣコンサルタントがＩＳＯ認証取得が容易に得られる。」としたも
ので単に、コンサルタントを養成するためのビジネスモデルを提案しているに過ぎない。
【００１１】
一方、特許文献２は、「事業内容を事業データベースに記録し、その記録された事業を年間計画に組み込み、事業計画データベースに記録した後、実施日を入力して業務情報データベースに事業指示を記録する。そしてこの事業指示を計画・準備・実施それぞれの段階で出力して、実行者は進捗報告を業務情報データベースに、管理者は関与内容を関与履歴データベースに記録し、指示者が承認を行うと、次段階の指示を実行者に通知し、遅延業務には督促状が自動または手動で作成され、督促状データベースに記録されると共に、実行者に通知される。」というもので、事業の進捗状況を管理するのが主眼であった。
【００１２】
このように、従来技術はいずれも、ＩＳＯそのものに着目した事業計画の策定支援を行うものではなかった。
【００１３】
一般に、ＩＳＯ取得のための企業内管理と、企業そのものの事業計画が乖離している場合が多く、事業年度初頭に策定された事業目標が実行できても、ＩＳＯ取得のための改善項目が達成できていなかったり、あるいはＩＳＯ取得だけのために事業活動を行った結果、企業としての事業実績を上げることができなかったりする場合が多かった。
【００１４】
本発明者はこれらの点に鑑みて本発明をなしたものであり、事業計画の推進とＥＭＳとＱＭＳとが統合的に管理可能なＥＱ事業計画推進のための支援システム、すなわちマネージメントシステムオーガナイザ（アイエスハート  オーガナイザ）の実現を技術的課題とする。
【課題を解決するための手段】
【００１５】
前記課題を解決するために、本発明では、以下の手段を採用した。
【００１６】
本発明の請求項１は、情報処理システムを用いた事業計画策定支援方法であって、入力手段により入力された事業計画の複数の目標テーマを縦または横方向に列挙表示し、入力手段により、少なくとも単年度の施策毎に計画と実績とを工程線図とともに横または縦方向に入力させ、前記施策項目毎に前記で列挙表示された目標テーマのいずれに関連するかを関係付ける関係付識別子を入力させるステップと、前記目標テーマ毎の実施計画・実績管理表の生成を指示するための指示入力手段を表示するステップと、前記指示入力手段から目標テーマ毎の実施計画・実績管理表の生成が指示入力されたときには、前記目標テーマに対応する当該年度の目標値と実績値の入力を受け付けるとともに、前記で入力されたそのテーマに対応する施策毎の計画と実績と工程線図とを編集禁止の状態で前記目標値と実績値とに対応させて表示するステップとからなる事業計画策定支援方法である。
【００１７】
また、請求項４は、当該請求項１をコンピュータ実行可能なプログラムとしたものである。
【００１８】
請求項１および４によれば、施策項目毎に目標テーマのいずれに関連するのかを関係付けさせ、かつこの画面で、単年度の施策毎に計画と実績とを工程線図とともに横または縦方向に入力させておき、実施計画・実績管理表の生成指示が入力されたときには、この実施計画・実績管理表の画面において、前記で入力された施策毎の計画と実績と工程線図とを編集禁止の状態で表示させ、この表示に対応して前記目標値と実績値を入力できるようにしたため、ＥＭＳ、ＱＭＳの達成度合いを意識しながら目標および実績の管理が可能となる。
【００１９】
本発明の請求項２は、情報処理システムを用いた事業計画策定支援方法であって、前記情報処理システムの中央処理装置が、環境側面要素情報毎に評価点が設定されその評価点
にしたがって順位付けられた環境順位テーブルを参照して、順位の高いものから順番に当該環境側面要素情報を読み込むステップと、前記中央処理装置が、語句と目標テーマの適合度とが関連付けられた語句判定テーブルを参照して、前記で読み込んだ環境側面要素情報の目標テーマに対する適合度を判定するステップと、前記中央処理装置が、業種と目標テーマの適合度とが関連付けられた業種別テーマテーブルを参照して、前記で読み込んだ環境側面要素情報の目標テーマに対する適合度を判定するステップと、前記中央処理装置が、前記目標テーマを前記適合度とともに経営方針情報として出力するステップとからなる事業計画策定支援方法である。
【００２０】
また、請求項５は、この請求項２をコンピュータ実行可能なプログラムとしたものである。
【００２１】
請求項２および５によれば、事業計画の策定にあたって、環境順位テーブルを用いて目標テーマのＥＭＳに対する適合度を判定することができるため、ＥＭＳにより一層適合した目標テーマを設定することが容易となる。
【００２２】
本発明の請求項３は、情報処理システムを用いた事業計画策定支援方法であって、
前記情報処理システムの中央処理装置が、品質項目要素情報毎に評価点が設定されその評価点にしたがって順位付けられた品質順位テーブルを参照して、順位の高いものから順番に当該品質項目要素情報を読み込むステップと、
前記中央処理装置が、語句と目標テーマの適合度とが関連付けられた語句判定テーブルを参照して、前記で読み込んだ品質項目要素情報の目標テーマに対する適合度を判定するステップと、
前記中央処理装置が、業種と目標テーマの適合度とが関連付けられた業種別テーマテーブルを参照して、前記で読み込んだ品質項目要素情報の目標テーマに対する適合度を判定するステップと、
前記中央処理装置が、前記目標テーマを前記適合度とともに経営方針情報として出力するステップとからなる事業計画策定支援方法である。
【００２３】
また、請求項６は、この請求項３をコンピュータ実行可能なプログラムとしたものである。
【００２４】
本発明の請求項３および６によれば、事業計画の策定にあたって、品質順位テーブルを用いて目標テーマのＱＭＳに対する適合度を判定することができるため、ＱＭＳにより一層適合した目標テーマを設定することが容易となる。
【発明の効果】
【００２５】
本発明によれば、事業計画の推進とＥＭＳとＱＭＳとが統合的に管理可能なＥＱ事業計画推進のための支援システム、すなわちマネージメントシステムオーガナイザ（アイエスハート  オーガナイザ）が実現できる。
【発明を実施するための最良の形態】
【００２６】
図７は、本発明の事業計画策定支援方法にかかる施策設定処理、実施処理、是正処理の全体を示した概要フロー図である。
【００２７】
以下、これら各処理を実現するための構成を具体的に説明する。
【００２８】
（ハードウエア構成）
図１１は、本実施形態のコンピュータシステム構成を示す図である。
【００２９】
本実施形態で用いられるハードウエアは、汎用の情報処理装置であって、中央処理装置（ＣＰＵ）を中心に、バス（ＢＵＳ）で接続されたメインメモリ（ＭＭ）、大規模記憶装置としてのハードディスク装置（ＨＤ）、入力デバイスとしてのキーボード（ＫＢＤ）、補助入力デバイスとしてのマウス（図示を省略）、出力装置としてのディスプレイ装置（ＤＩＳＰ）、プリンタ装置（図示を省略）等で構成されている。
【００３０】
ハードディスク装置（ＨＤ）には、オペレーティングシステム（ＯＳ）とともに各種の処理プログラムが登録されている。これらの処理プログラムとしては、具体的に、表計算アプリケーションプログラム（たとえば、マイクロソフト社のエクセル（商標名））およびそのマクロプログラムが登録されている。
【００３１】
また、ハードディスク装置（ＨＤ）内には後述の、環境順位テーブル、品質順位テーブル等の各種テーブルが設定されている。
【００３２】
本実施形態のマネージメントシステムオーガナイザ（アイエスハート  オーガナイザ）の機能は、中央処理装置（ＣＰＵ）が、表計算アプリケーションプログラムのマクロプログラムを各種テーブルを参照しながら、バス（ＢＵＳ）およびメインメモリ（ＭＭ）を介して読み込み実行処理することによって実現されている。
【００３３】
また、本実施形態のコンピュータシステム構成は、図１２に示すように、ネットワークで接続されたサーバと端末装置で構成されていてもよい。
【００３４】
（環境影響評価における目標テーマの設定、語句判定）
まず、中央処理装置（ＣＰＵ）は、ハードディスク装置（ＨＤ）から環境影響評価プログラムを読み込んで実行する。この環境影響評価プログラムでは、ハードディスク装置（ＨＤ）内に設けられた量的判断基準テーブル（図３参照）から各種基準値を読み込んで、評価点数を付与する。たとえば、企業としての「有害化学物質の使用」は環境影響が極めて高く、「電気の使用」は環境影響が低い。これらの環境影響要素毎に環境影響の高い順番に点数を付与する。そして、中央処理装置（ＣＰＵ）は、図１に示すような環境順位テーブルを生成する。ここでは、「有害化学物質の使用」が環境への影響度が高く評価点も６３点となっている。また、「ガソリンの使用」は３２点、「電気の使用」は２０点となっている。このように、中央処理装置（ＣＰＵ）は、評価点の高い順番に順位付けを行って環境順位テーブルとする。
【００３５】
次に、中央処理装置（ＣＰＵ）は、「取り組みテーマ検証プログラム」をハードディスク装置（ＨＤ）から読み出して、実行処理する。
【００３６】
この取り組みテーマ検証プログラムは、(1)環境影響評価結果の順位が高い「環境側面
要素」を「取り組みテーマ語句判定テーブル」に基づいて、「取り組みテーマ」に変換して、表計算プログラムに取り込む。
【００３７】
たとえば、環境側面として、「ガソリンの使用」や「電気の使用」が高順位となる場合には、「取り組みテーマ語句判定テーブル」によって、取り組みテーマは、「エネルギー使用量の削減」となる。
【００３８】
ここで、「取り組みテーマ語句判定テーブル」の内容を示したのが図６の上図である。
【００３９】
そしてこのときに、「業種別テーマテーブル」（図５上図）を参照して、当該事業目標を作成しようとしている企業（または部門）の業種が、前記「取り組みテーマ語句判定テーブル」によって変換された「取り組みテーマ」に適合しているか否かを判定する。
【００４０】
すなわち、製造業（業種Ａ）の場合には、「エネルギー使用量の削減」は「○」印が付与された適合テーマであることが判定できる。
【００４１】
一方、商社等の業種（業種Ｂ）の場合には、「グリーンプロセス」や、「化学物質の使用量の削減」は、「×」印が付与されており、適合テーマではないことになる。
【００４２】
なお、同図中「△」印は、適合とはいえないが考慮すべきテーマであることを意味している。
【００４３】
このように、「取り組みテーマ検証プログラム」によって出力された「取り組みテーマ」は、図４に示すように事業目標として、表計算プログラムに取り込まれる。
【００４４】
このとき、各「取り組みテーマ」には、「取り組み語句テーマ判定テーブル」や「業種別テーマテーブル」を参照して判定された適合度が「○」、「△」または「×」印として併記され表示される。
【００４５】
このようにして、「環境側面要素」を「取り組みテーマ語句判定テーブル」等によって「取り組みテーマ」に変換して、図４に示すような事業目標に取り込み、その評価結果を併記することによって、当該取り組みテーマが環境側面およびその企業にとって最適なものであるか否かを経営者が判断しやすくなる。
【００４６】
（品質分析における目標テーマの設定、語句判定）
中央処理装置（ＣＰＵ）は、ハードディスク装置（ＨＤ）から品質評価プログラムを読み込んで実行する。この品質評価プログラムでは、あらかじめハードディスク装置（ＨＤ）内に設けられた品質項目要素毎に、その評価点が関係付けられた品質評価テーブル（図示せず）から各品質項目要素を読み出して、その評価点が高い順番に品質項目要素を並び替えた品質順位テーブルを設定する（図２参照）。
【００４７】
図２では、「クレーム件数の低減」が最も順位が高く、１０２点で評価されている。
【００４８】
次に、中央処理装置（ＣＰＵ）は、「取り組みテーマ検証プログラム」をハードディスク装置（ＨＤ）から読み出して、実行処理する。
【００４９】
この取り組みテーマ検証プログラムは、品質項目要素の評価点が高い（順位が上位）の「品質項目要素」を「取り組みテーマ語句判定テーブル」に基づいて、「取り組みテーマ」に変換して、表計算プログラムに取り込む。
【００５０】
ここで、「取り組みテーマ語句判定テーブル」の内容を示したのが図６の下図である。
【００５１】
そしてこのときに、「業種別テーマテーブル」（図５下図）を参照して、当該事業目標を作成しようとしている企業（または部門）の業種が、前記「取り組みテーマ語句判定テーブル」によって変換された「取り組みテーマ」に適合しているか否かを判定する。
【００５２】
このように、「取り組みテーマ検証プログラム」によって出力された「取り組みテーマ」は、図４に示すように事業目標として、表計算プログラムに取り込まれる。
【００５３】
このとき、各「取り組みテーマ」には、「取り組み語句テーマ判定テーブル」や「業種別テーマテーブル」を参照して判定された適合度が「○」、「△」または「×」印として併記され表示される。
【００５４】
このようにして、「品質項目要素」を「取り組みテーマ語句判定テーブル」等によって「取り組みテーマ」に変換して、事業目標に取り込み、その評価結果を併記することによって、当該取り組みテーマが環境側面およびその企業にとって最適なものであるか否かを経営者が判断しやすくなる。
【００５５】
（目標入力画面）
図４に示すように、表計算アプリケーションプログラムの重点テーマには、前述のように、「取り組みテーマ」が目標テーマとして自動設定されている。
【００５６】
これらの目標テーマは、前記で自動設定された「取り組みテーマ」の他に、オペレータが任意なテーマを設定することも可能である。この場合、画面上に表示された「取り組みテーマ判定」ボタンにマウスカーソルを合わせて当該「取り組みテーマ検証プログラム」を起動することによって、任意に設定された目標テーマに対して、図１に示した「取り組みテーマ語句判定テーブル」や「業種別テーマテーブル」を用いて適合度を判定し、任意に設定した目標テーマに対する評価（○、△または×）を表示させる。
【００５７】
なお、ここで、目標テーマを入力した場合、中央処理装置（ＣＰＵ）は当該語句について、図１に示した環境影響評価（ＥＭＳ）における「取り組みテーマ検証プログラム」と、図２に示した品質分析（ＱＭＳ）における「取り組みテーマ検証プログラム」とを順次起動し、ＱＭＳ（品質）とＥＭＳ（環境）の両側面から目標テーマ毎にＱＭＳ、ＥＭＳのそれぞれの評価を表示するようにしてもよい。
【００５８】
（施策実施計画（兼）実績管理表）
次の施策実施計画（兼）実績管理表フォーマットには、図８に示すように、「会社案内電子化（新規顧客獲得と既存顧客取引維持）」、「展示会出展（新規顧客獲得と既存顧客取引維持）」、「全社技能向上（業務の質向上策）」等の施策項目に対して、月毎の具体的な施策計画と施策実績と工程線図（月毎に横方向に該当月を線図を記入可能）とともに入力可能となっている。
【００５９】
また、当該フォーマットの左欄では、この施策項目と前記目標テーマ項目とが「○」印（関係付識別子）を登録することで関連付けられるようになっている。
【００６０】
この施策実施計画（兼）実績管理表フォーマットを参照することによって、各目標テーマが具体的にどのような施策項目で実現されるのかが把握可能となっている。
【００６１】
そして、当該フォーマットの上部には、「目標シートへの取り込み」ボタンが設けられている。このボタンにマウスカーソルを配置し、マウス等の補助入力手段で指定入力することによって、マクロプログラムが起動する。
【００６２】
（目標管理シート）
このマクロプログラムでは、まず目標テーマ毎に目標シートを生成する。この目標管理シートでは、施策実施計画（兼）実績管理表フォーマットで入力された施策項目とそれに対応する施策計画・施策実績が反映されるようになっている。
【００６３】
図９に示すように、ディスプレイ装置（ＤＩＳＰ）に表示される目標管理シートは、前記施策実施計画（兼）実績管理表フォーマットの目標テーマに対して関連付けられた（「○」が付与された）目標テーマ毎に生成され（図９の目標シートは「販売高の向上」）、この目標テーマが関連付けられた施策項目とそれに対応する施策計画・施策実績が前記施策実施計画（兼）実績管理表フォーマットから複写されて表示されるようになっている。
なお、この画面では施策計画・施策実績の入力はできないようになっている。
【００６４】
そして、これらの施策計画・施策実績の上部には、毎月の目標値と実績と評価とが、単月と累計とにわけて表示されるようになっている。この目標・実績値については、この画面で入力可能となっている。なお、この目標値・実績値については、他の管理システム（たとえば売上管理システム）等の出力結果をそのまま取り込むようにしてもよい。
【００６５】
このように、目標値と実績値との対比を行う判定プログラムの処理手順を示したものが図１０である。
【００６６】
同図では、ハードディスク装置内に登録された判定プログラムを中央処理装置（ＣＰＵ）が読み込むことによって処理を開始する。
【００６７】
判定プログラムは、判定条件テーブルを参照して、実績評価を出力する。ここでは、年度目標未達成の可能性が大きくなったとき、たとえば、(1)３ケ月連続で目標値を未達成
の場合には「注意判定」を行う。また、４ケ月連続未達成の場合には「警告判定」を行う。「注意判定」の場合には、たとえば未達成月の目標値と実績値を赤文字で表示する。また、「警告判定」の場合には、たとえば未達成月の目標値と実績値を赤文字で表示するとともに点滅表示させる。
【００６８】
また、(2)年度の中間値で、当月までの累計値が７０％未満の進捗状況の場合には、「
注意判定」を行い、累計値が60％未満の場合、「警告判定」をしてもよい。
【００６９】
さらに、中央処理装置（ＣＰＵ）は、「注意判定」または「警告判定」を行った場合、是正モニタリングシステム（是正モニタプログラム）を起動し、是正処置が行われたか否かを監視し、是正処置データベースを参照しながら是正の進捗管理を行うようにしてもよい。
【産業上の利用可能性】
【００７０】
本発明は、環境計画（ＥＭＳ）と品質計画（ＱＭＳ）との２種類のＩＳＯと事業計画とを統合管理するアプリケーションプログラムに利用できる。
【図面の簡単な説明】
【００７１】
【図１】環境影響評価の取り組みテーマ検証プログラムの処理を示す説明図
【図２】品質分析の取り組みテーマ検証プログラムの処理を示す説明図
【図３】量的判断基準テーブルの内容を示す説明図
【図４】取り組みテーマ（目標テーマ）設定画面を示す図
【図５】業種別テーマテーブルの内容を示す図
【図６】語句判定テーブルの内容を示す図
【図７】施策設定、実施、是正の各処理を示す説明図
【図８】施策実施計画（兼）実績管理表フォーマットを示す図
【図９】目標管理シートのフォーマットを示す図
【図１０】実績評価の判定および是正処理を示すフロー図
【図１１】本発明のシステム構成図
【図１２】本発明のネットワーク構成図
【符号の説明】
【００７２】
ＣＰＵ  中央処理装置
ＭＭ  メインメモリ
ＢＵＳ  バス
ＨＤ  ハードディスク装置
ＯＳ  オペレーティングシステム
ＤＩＳＰ  ディスプレイ装置
ＫＢＤ  キーボード
【図１】
2007257442.tif 000003
【図２】
2007257442.tif 000004
【図３】
2007257442.tif 000005
【図４】
2007257442.tif 000006
【図５】
2007257442.tif 000007
【図６】
2007257442.tif 000008
【図７】
2007257442.tif 000009
【図８】
2007257442.tif 000010
【図９】
2007257442.tif 000011
【図１０】
2007257442.tif 000012
【図１１】
2007257442.tif 000013
【図１２】
2007257442.tif 000014